(57)【要約】  本開示の課題は、使い勝手を向上させることができる活動支援方法、プログラム、及び活動支援システムを提供することである。本開示に係る活動支援システム（１）は、取得部（１２）と、提示部（１３）と、を備える。取得部（１２）は、対象者に所定の運動メニューを実施させた場合の対象者の運動結果である結果データを取得する。提示部（１３）は、取得部（１２）が取得した結果データに基づいて対象者に促す活動を規定する活動データを提示する。
2019146341.tif 000002
【特許請求の範囲】
【請求項１】
対象者に所定の運動メニューを実施させた場合の前記対象者の運動結果である結果データを取得する取得処理と、
前記取得処理で取得した前記結果データに基づいて、前記対象者に促す活動を規定する活動データを提示する提示処理と、を含む、
活動支援方法。
【請求項２】
前記提示処理において、前記結果データに対する評価結果を含む中間データを更に提示する、
請求項１に記載の活動支援方法。
【請求項３】
前記中間データに基づいて前記活動データを決定する決定処理を更に含む、
請求項２に記載の活動支援方法。
【請求項４】
前記所定の運動メニューは、複数の項目を含む、
請求項１〜３のいずれか１項に記載の活動支援方法。
【請求項５】
前記複数の項目の各々は、その機能に応じて複数のグループのいずれかに分類される、
請求項４に記載の活動支援方法。
【請求項６】
前記提示処理において、前記複数の項目のうち優先順位が最も高い項目に関連付けられた前記活動データを提示する、
請求項４又は５に記載の活動支援方法。
【請求項７】
前記複数の項目の各々について前記結果データを評価する評価処理を更に含み、
前記複数の項目のうち前記評価処理での評価が最も低い項目の優先順位が最も高い、
請求項６に記載の活動支援方法。
【請求項８】
前記複数の項目の各々は、その機能に応じて複数のグループのいずれかに分類され、
前記複数のグループのうちいずれか１つのグループに評価が最も低い項目である低評価項目が複数含まれる場合、前記提示処理において、前記複数の低評価項目のうち優先順位が最も高い項目に関連付けられた前記活動データを提示する、
請求項７に記載の活動支援方法。
【請求項９】
前記提示処理において、前記複数の項目のうち優先順位が最も高い項目についての評価結果である第１評価結果と前記第１評価結果以外の第２評価結果との表示態様を異ならせる、
請求項６〜８のいずれか１項に記載の活動支援方法。
【請求項１０】
前記結果データに対する評価結果を含む中間データを記憶する記憶処理を更に含み、
前記提示処理において、前記記憶処理で記憶させた複数の前記中間データを同時に提示する、
請求項１〜９のいずれか１項に記載の活動支援方法。
【請求項１１】
コンピュータシステムに、
請求項１〜１０のいずれか１項に記載の活動支援方法を実行させるためのプログラム。
【請求項１２】
対象者に所定の運動メニューを実施させた場合の前記対象者の運動結果である結果データを取得する取得部と、
前記取得部が取得した前記結果データに基づいて前記対象者に促す活動を規定する活動データを提示する提示部と、を備える、
活動支援システム。
【発明の詳細な説明】
【技術分野】
【０００１】
本開示は、一般に活動支援方法、プログラム、及び活動支援システムに関し、より詳細には、対象者の活動を支援するための活動支援方法、プログラム、及び活動支援システムに関する。
【背景技術】
【０００２】
特許文献１には、対象者（ユーザ）の健康を維持しつつスポーツ能力の向上を支援するための活動支援システム（健康支援装置）が記載されている。特許文献１に記載の活動支援システムでは、身長等の身体特性データ、柔軟性等の運動能力データ、及びスポーツ能力計測データ等の様々なデータを入力することで、対象者の活動（運動及び食事指導）を支援することができる。【０００３】
ところで、特許文献１に記載の活動支援システムでは、身体特性データ及び運動能力データを入力し、さらにスポーツ能力計測データを入力しなければならず、使い勝手がよくなかった。
【先行技術文献】
【特許文献】
【０００４】
【特許文献１】特開２０１４−１８３８６７号公報
【発明の概要】
【０００５】
本開示の目的は、使い勝手を向上させることができる活動支援方法、プログラム、及び活動支援システムを提供することにある。
【０００６】
本開示の一態様に係る活動支援方法は、取得処理と、提示処理と、を含む。前記取得処理では、対象者に所定の運動メニューを実施させた場合の前記対象者の運動結果である結果データを取得する。前記提示処理では、前記取得処理で取得した前記結果データに基づいて、前記対象者に促す活動を規定する活動データを提示する。
【０００７】
本開示の一態様に係るプログラムは、コンピュータシステムに、前記活動支援方法を実行させるためのプログラムである。
【０００８】
本開示の一態様に係る活動支援システムは、取得部と、提示部と、を備える。前記取得部は、対象者に所定の運動メニューを実施させた場合の前記対象者の運動結果である結果データを取得する。前記提示部は、前記取得部が取得した前記結果データに基づいて前記対象者に促す活動を規定する活動データを提示する。
【図面の簡単な説明】
【０００９】
【図１】図１は、本開示の一実施形態に係る活動支援システムのブロック図である。
【図２】図２は、同上の活動支援システムの入力画面の概略図である。
【図３】図３は、同上の活動支援システムの出力画面の概略図である。
【図４】図４は、同上の活動支援システムの別の出力画面の概略図である。
【図５】図５は、同上の活動支援システムの動作を説明するフローチャートである。
【図６】図６は、本開示の一実施形態の変形例に係る活動支援システムの出力画面の概略図である。
【発明を実施するための形態】
【００１０】
（１）概要
以下、本開示の一実施形態に係る活動支援システム１の概要について、図１を参照して説明する。
【００１１】
実施形態に係る活動支援システム１は、例えば、高齢者、特にフレイル状態にある高齢者の活動を支援するためのシステムである。活動支援システム１は、例えば、携帯可能な大きさのタブレットである（図２参照）。ここでいう「フレイル」とは、加齢と共に心身の活力（運動機能、認知機能等）が低下し、複数の慢性疾患の併存などの影響もあり、生活機能が障害され、心身の脆弱性が出現した状態をいう。一方で、「フレイル」とは、適切な介入・支援により生活機能の維持向上が可能な状態をいう。つまり、「フレイル」は、健康な状態と日常生活でサポートが必要な介護状態の中間を意味する。実施形態に係る活動支援システム１によって、フレイル状態にある高齢者に対して適切な介入・支援を行うことで、高齢者が要介護状態になるのを低減することができる。
【００１２】
実施形態に係る活動支援システム１は、図１に示すように、取得部１２と、提示部１３と、を備える。取得部１２は、対象者に所定の運動メニューを実施させた場合の対象者の運動結果である結果データＤ１（図２参照）を取得する。提示部１３は、取得部１２が取得した結果データＤ１に基づいて、対象者に促す活動を規定する活動データＤ３（図４参照）を提示する。実施形態では、結果データＤ１は、図２に示すように、提示部１３の入力画面１３１において入力される対象者の測定データである。
【００１３】
ここでいう「対象者」は、実施形態では、高齢者、特にフレイル状態にある高齢者であるが、対象者は高齢者に限らず、例えば、若年者（若年層）であってもよい。また、ここでいう「運動メニュー」には、図２に示すように、「Ｔｉｍｅ  ｕｐ  ＆  ｇｏ」、「ファンクショナルリーチ」、「開眼片足立ち」、「握力」、「５ｍ歩行」、「ステッピング」等の複数の項目が含まれる。言い換えると、活動支援方法では、所定の運動メニューは、複数の項目を含む。但し、これらの項目は一例である。以下の説明では、「Ｔｉｍｅ  ｕｐ  ＆  ｇｏ」を「ＴＵＧ」と省略する。
【００１４】
また、複数の項目の各々は、その機能に応じて複数のグループのいずれかに分類される。図２に示す例では、複数の項目の各々は、第１グループ、第２グループ、第３グループ又は第４グループに分類される。第１グループは、歩行を評価するためのグループであり、「ＴＵＧ」、「５ｍ歩行」等の項目が含まれる。第２グループは、柔軟・バランスを評価するためのグループであり、「ファンクショナルリーチ」、「開眼片足立ち」等の項目が含まれる。第３グループは、筋肉を評価するためのグループであり、「握力」等の項目が含まれる。第４グループは、俊敏性を評価するためのグループであり、「ステッピング」等の項目が含まれる。
【００１５】
実施形態に係る活動支援システム１では、対象者の運動結果である結果データＤ１に基づいて対象者に提示する活動データＤ３を作成しており、結果データＤ１以外の入力データを必要とする場合と比較して使い勝手を向上させることができる。
【００１６】
（２）詳細
以下、実施形態に係る活動支援システム１の詳細について、図１を参照して説明する。
【００１７】
実施形態に係る活動支援システム１は、図１に示すように、取得部１２と、提示部１３と、を備える。また、活動支援システム１は、制御部１１と、記憶部１４と、操作部１５と、出力部１６と、を更に備える。制御部１１は、決定部１１１と、評価部１１２と、を含む。
【００１８】
制御部１１は、プロセッサ及びメモリを有するマイクロコンピュータで構成されている。つまり、制御部１１は、プロセッサ及びメモリを有するコンピュータシステムで実現されている。そして、プロセッサが適宜のプログラムを実行することにより、コンピュータシステムが制御部１１として機能する。プログラムは、メモリに予め記録されていてもよいし、インターネット等の電気通信回線を通じて、又はメモリカード等の非一時的な記録媒体に記録されて提供されてもよい。
【００１９】
決定部１１１は、中間データＤ２（図３参照）に基づいて活動データＤ３（図４参照）を決定するように構成されている。言い換えると、活動支援方法は、中間データＤ２に基づいて活動データＤ３を決定する決定処理を含む。具体的には、決定部１１１は、中間データＤ２に基づいて、記憶部１４に記憶させた複数の活動データＤ３の中から最適な活動データＤ３を選択する。より具体的には、決定部１１１は、中間データＤ２に含まれる複数の項目のうち優先順位が最も高い項目に関連付けられた活動データＤ３を選択する。ここでいう「優先順位」は、評価部１１２の評価結果に基づいて決定される。実施形態では、複数の項目のうち評価部１１２の評価が最も低い項目の優先順位が最も高くなる。言い換えると、複数の項目のうち評価処理での評価が最も低い項目の優先順位が最も高くなる。
【００２０】
評価部１１２は、結果データＤ１（図２参照）に基づいて対象者の運動結果を評価するように構成されている。言い換えると、活動支援方法は、複数の項目の各々について結果データＤ１を評価する評価処理を含む。具体的には、評価部１１２は、運動メニューに含まれる複数の項目の各々について、基準値に対する測定値の大きさに基づいてランク付けを行う。ここでいう「基準値」とは、例えば、性別、年代ごとに特定人数の測定結果から求められる平均値をいう。但し、基準値は平均値に限らず、各項目の測定結果をランク付けできる値であればよい。
【００２１】
実施形態では、評価部１１２は、複数の項目の各々について、その測定値が基準値±５％以内である場合には「Ｃランク」とし、その測定値が基準値＋５％よりも大きく、かつ基準値＋１５％以下である場合には「Ｂランク」とする。また、評価部１１２は、複数の項目の各々について、その測定値が基準値＋１５％よりも大きい場合には「Ａランク」とする。また、評価部１１２は、複数の項目の各々について、その測定値が基準値−５％よりも小さく、かつ基準値−１５％以上である場合には「Ｄランク」とし、その測定値が基準値−１５％よりも小さい場合には「Ｅランク」とする。実施形態では、中間データＤ２は、結果データＤ１に対する評価結果である評価部１１２の評価結果を含む。
【００２２】
提示部１３は、例えば、タッチパネルディスプレイである。つまり、実施形態では、タッチパネルディスプレイによって、提示部１３と操作部１５とが兼用される。提示部１３は、図２〜図４に示すように、入力画面１３１及び出力画面１３２，１３３を表示するように構成されている。つまり、提示部１３は、中間データＤ２に基づいて決定される活動データＤ３を提示し、かつ結果データＤ１に対する評価結果を含む中間データＤ２を更に提示する。言い換えると、活動支援方法では、提示処理において、活動データＤ３を提示し、かつ結果データＤ１に対する評価結果を含む中間データＤ２を更に提示する。なお、提示部１３の入力画面１３１及び出力画面１３２，１３３については、「（３）提示部の詳細」の欄で詳しく説明する。
【００２３】
記憶部１４は、例えば、フラッシュメモリ等の読み書き可能なメモリで構成されている。記憶部１４は、中間データＤ２と活動データＤ３とを紐付けて記憶している。言い換えると、活動支援方法は、結果データＤ１に対する評価結果を含む中間データＤ２を記憶する記憶処理を含む。具体的には、記憶部１４は、運動メニューに含まれる複数の項目の各々と、各項目に関連付けられた活動データＤ３と、を紐付けて記憶している。
【００２４】
操作部１５は、ユーザの操作入力を受け付けるように構成されている。ここでいう「ユーザ」には、対象者が含まれていてもよい。つまり、対象者が活動支援システム１を操作してもよい。操作部１５は、提示部１３の入力画面１３１及び出力画面１３２，１３３に表示されたテンキー１５１及び複数（図示例では６つ）の第１〜第６押ボタンスイッチ１５２〜１５７を有する入力インターフェースである（図２〜図４参照）。
【００２５】
第１押ボタンスイッチ１５２は、対象者のＩＤ番号を入力する入力画面に切り替えるためのスイッチである。第２押ボタンスイッチ１５３は、ＵＳＢメモリから結果データＤ１を読み込むためのスイッチである。第３押ボタンスイッチ１５４は、活動支援システム１のカメラを起動するためのスイッチである。第４押ボタンスイッチ１５５及び第５押ボタンスイッチ１５６は、表示画面を変更するためのスイッチである。第６押ボタンスイッチ１５７は、出力結果を印刷するためのスイッチである。
【００２６】
出力部１６は、図１に示すように、プリンタ２に接続されており、プリンタ２に対して印刷データを出力する。実施形態では、出力部１６は、活動データＤ３を含む画像データをプリンタ２に出力する。
【００２７】
（３）提示部の詳細
次に、提示部１３の詳細について、図２〜図４を参照して説明する。
【００２８】
（３．１）入力画面
図２は、提示部１３に表示される入力画面１３１の概略図である。入力画面１３１は、対象者の運動結果である結果データＤ１を入力するための画面である。
【００２９】
入力画面１３１における中央には、結果データＤ１を入力するための入力部１３１０が表示されている。入力画面１３１において入力部１３１０の左側には、運動メニューに含まれる複数の項目１３１１が表示されている。図２に示す例では、複数の項目１３１１として、「ＴＵＧ」、「ファンクショナルリーチ」、「開眼片足立ち」、「握力」、「５ｍ歩行」、「ステッピング」が表示されている。
【００３０】
入力画面１３１において入力部１３１０の右側には、操作部１５のテンキー１５１が表示されている。入力画面１３１における右上の角部には、対象者のＩＤ番号１３１２が表示されている。入力画面１３１における下側には、第１〜第４押ボタンスイッチ１５２〜１５５が左右方向に並べて表示されている。
【００３１】
この入力画面１３１において、ユーザがテンキー１５１を用いて結果データＤ１を入力した後、第４押ボタンスイッチ１５５を押すと、図３に示す出力画面１３２が提示部１３に表示（提示）される。
【００３２】
（３．２）第１出力画面
図３は、提示部１３に表示される出力画面１３２の概略図である。出力画面１３２は、結果データＤ１に対する評価結果を含む中間データＤ２を表示する画面である。
【００３３】
出力画面１３２における中央には、中間データＤ２が表示されている。図３に示す例では、中間データＤ２は、第１中間データＤ２１と、第２中間データＤ２２と、を含む。第１中間データＤ２１は、例えば、対象者の運動結果に対するアドバイスであり、ここでは運動及び食事についてのアドバイスである。第２中間データＤ２２は、例えば、レーダーチャートである。
【００３４】
図３に示すレーダーチャートにおいて、実線は今回の運動結果であり、破線は初回又は前回（例えば、前年度）の運動結果である。つまり、図３に示す例では、提示部１３は、同一の対象者について時系列で変化する複数の中間データＤ２を同時に提示しており、変化の度合いを対象者に提示することができる。言い換えると、活動支援方法では、提示処理において、記憶処理で記憶させた複数の中間データＤ２を同時に提示している。
【００３５】
出力画面１３２における右上の角部には、対象者のＩＤ番号１３１２が表示されている。出力画面１３２における下側には、第１，第４，第５押ボタンスイッチ１５２，１５５，１５６が左右方向に並べて表示されている。
【００３６】
この出力画面１３２において、ユーザが第４押ボタンスイッチ１５５を押すと、図４に示す出力画面１３３が提示部１３に表示（提示）される。
【００３７】
（３．３）第２出力画面
図４は、提示部１３に表示される出力画面１３３の概略図である。出力画面１３３は、中間データＤ２に基づいて決定される活動データＤ３を表示する画面である。
【００３８】
出力画面１３３における中央には、活動データＤ３が表示されている。図４に示す例では、活動データＤ３は、第１活動データＤ３１と、第２活動データＤ３２と、を含む。第１活動データＤ３１は、第１アイコンＩ１と、第２アイコンＩ２と、第３アイコンＩ３と、を含む。第１アイコンＩ１は、食事に関するレコメンド（おすすめ）を選択するためのアイコンである。第２アイコンＩ２は、器具に関するレコメンドを選択するためのアイコンである。第３アイコンＩ３は、運動に関するレコメンドを選択するためのアイコンである。
【００３９】
第２活動データＤ３２は、第１アイコンＩ１、第２アイコンＩ２及び第３アイコンＩ３のうちユーザが選択したアイコンに対応付けられたレコメンドである。図４に示す例では、第１アイコンＩ１が選択され、食事に関するレコメンドが表示されている。
【００４０】
出力画面１３３における右上の角部には、対象者のＩＤ番号１３１２が表示されている。出力画面１３３における下側には、第１，第５，第６押ボタンスイッチ１５２，１５６，１５７が表示されている。
【００４１】
そして、ユーザが、出力画面１３３に表示されている第６押ボタンスイッチ１５７を押すと、活動データＤ３を含む画像信号が出力部１６からプリンタ２に送信され、プリンタ２において活動データＤ３を含むレポートが印刷される。
【００４２】
（３．４）具体例
実施形態では、図３に示すように、複数の項目１３１１のうち第１グループに含まれる「５ｍ歩行」が「Ｅランク」であり、最も低い評価である。そして、図４に示す活動データＤ３は、「５ｍ歩行」に関連付けられたデータであり、歩行能力を高めるためのレコメンドである。つまり、図３及び図４に示す例では、複数の項目１３１１のうち第１グループに含まれる「５ｍ歩行」の優先順位が最も高く、この「５ｍ歩行」に関連付けられた活動データＤ３が提示部１３に提示されている。言い換えると、活動支援方法では、提示処理において、複数の項目のうち優先順位が最も高い項目に関連付けられた活動データＤ３を提示している。但し、図４に示すレコメンドは一例である。
【００４３】
ここで、第１グループ、第２グループ、第３グループ及び第４グループのうち、第１グループに含まれる「ＴＵＧ」及び「５ｍ歩行」が共に「Ｅランク」である場合を想定する。言い換えると、「ＴＵＧ」及び「５ｍ歩行」は、第１グループにおいて最も評価が低い項目である低評価項目である。つまり、この場合には、複数の低評価項目が第１グループに含まれていることになる。この場合において、複数の低評価項目の中で、予め優先順位を決めておくことが好ましい。例えば、「ＴＵＧ」が「５ｍ歩行」よりも優先順位が高く、かつ両者が同じ「Ｅランク」である場合、制御部１１は、「ＴＵＧ」に関連付けられた活動データＤ３を提示部１３に提示させる。
【００４４】
また、提示処理において、複数の項目のうち優先順位が最も高い項目に対する評価結果である第１評価結果と第１評価結果以外の第２評価結果との表示態様を異ならせることが好ましい。図３に示す例では、「５ｍ歩行」に対する評価結果が第１評価結果であり、「ＴＵＧ」、「ファンクショナルリーチ」、「開眼片足立ち」、「握力」、「ステッピング」に対する評価結果が第２評価結果である。そして、図３に示す例では、第１評価結果に対して「★マーク」を表示させており、第２評価結果と表示態様を異ならせている。これにより、第１評価結果と第２評価結果とを区別しやすいという利点がある。
【００４５】
（４）動作
次に、実施形態に係る活動支援システム１の動作について、図５を参照して説明する。
【００４６】
ユーザが、提示部１３の入力画面１３１において結果データＤ１を入力し、第４押ボタンスイッチ１５５を押すことで、取得部１２が結果データＤ１を取得し、取得結果を制御部１１へ出力する（ステップＳＴ１）。実施形態では、ステップＳＴ１が取得処理である。
【００４７】
制御部１１は、取得部１２からの結果データＤ１に対する評価結果を含む中間データＤ２を作成する（ステップＳＴ２）。具体的には、制御部１１の評価部１１２が、各項目について、結果データＤ１に含まれる測定値と基準値とを比較し、ランク付けを行う。その後、制御部１１は、作成した中間データＤ２を記憶部１４に記憶させる（ステップＳＴ３）。実施形態では、ステップＳＴ２が評価処理であり、ステップＳＴ３が記憶処理である。
【００４８】
次に、制御部１１は、中間データＤ２に基づいて活動データＤ３を決定する（ステップＳＴ４）。具体的には、制御部１１の決定部１１１が、評価部１１２の評価結果に基づいて活動データＤ３を決定する。さらに具体的には、決定部１１１は、複数の項目のうち評価部１１２の評価が最も低い項目に関連付けられた活動データＤ３を選択（決定）する。実施形態では、ステップＳＴ４が決定処理である。
【００４９】
制御部１１は、結果データＤ１に対する評価結果を含む中間データＤ２を提示部１３に提示させる（ステップＳＴ５）。その後、ユーザが、提示部１３の出力画面１３２に表示されている第４押ボタンスイッチ１５５を押すと（ステップＳＴ６：Ｙｅｓ）、制御部１１は、活動データＤ３を提示部１３に提示させる（ステップＳＴ７）。なお、提示部１３は、第４押ボタンスイッチ１５５が押されるまでは（ステップＳＴ６：Ｎｏ）、出力画面１３２を提示し続ける。実施形態では、ステップＳＴ５及びステップＳＴ７が提示処理である。
【００５０】
ユーザが、提示部１３に提示されている出力画面１３３において第６押ボタンスイッチ１５７を押すと（ステップＳＴ８：Ｙｅｓ）、制御部１１は、活動データＤ３を含む画像信号を作成する。そして、制御部１１は、作成した画像信号を出力部１６からプリンタ２に出力させる（ステップＳＴ９）。プリンタ２では、活動支援システム１からの画像信号に基づいて、活動データＤ３を含むレポートを出力する。なお、提示部１３は、第６押ボタンスイッチ１５７が押されるまでは（ステップＳＴ８：Ｎｏ）、出力画面１３３を提示し続ける。
【００５１】
なお、図５に示すフローチャートにおいて、ステップＳＴ３とステップＳＴ４とステップＳＴ５とが入れ替わっていてもよい。一例として、活動データＤ３を決定した後に中間データＤ２を記憶させてもよい。
【００５２】
（５）変形例
上述の実施形態は、本開示の様々な実施形態の一つに過ぎない。上述の実施形態は、本開示の目的を達成できれば、設計等に応じて種々の変更が可能である。また、活動支援システム１と同様の機能は、活動支援方法、コンピュータプログラム、又はコンピュータプログラムを記録した非一時的な記録媒体等で具現化されてもよい。
【００５３】
一態様に係る活動支援方法は、取得処理と、提示処理と、を含む。取得処理では、対象者に所定の運動メニューを実施させた場合の対象者の運動結果である結果データＤ１を取得する。提示処理では、取得処理で取得した結果データＤ１に基づいて、対象者に促す活動を規定する活動データＤ３を提示する。
【００５４】
一態様に係るプログラムは、コンピュータシステムに、上述の活動支援方法を実行させるためのプログラムである。
【００５５】
以下、上述の実施形態の変形例を列挙する。以下に説明する変形例は、適宜組み合わせて適用可能である。
【００５６】
本開示における活動支援システム１又は活動支援方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における活動支援システム１又は活動支援方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００５７】
また、活動支援システム１の制御部１１（決定部１１１及び評価部１１２を含む）の機能は、１つの装置に設けられていてもよいし、複数の装置に分散して設けられていてもよい。さらに、制御部１１の少なくとも一部の機能は、例えば、クラウド（クラウドコンピューティング）によって実現されていてもよい。
【００５８】
活動支援システム１は、例えば、スマートフォン等の携帯情報端末（ＰＤＡ：Personal Digital Assistant）と無線通信を行う無線通信部を備えていてもよい。この場合、対象者が携帯情報端末を所有していれば、対象者は、携帯情報端末にて中間データＤ２及び活動データＤ３を取得することができる。また、携帯情報端末にて結果データＤ１を入力し、この結果データＤ１を無線通信により活動支援システム１に送信することもできる。
【００５９】
実施形態では、対象者の運動結果である結果データＤ１を、タブレットからなる活動支援システム１に直接入力したが、例えば、デジタルミラー等のリハビリ・ナビゲーションシステムで測定した結果データＤ１を活動支援システム１に転送してもよい。
【００６０】
実施形態では、タッチパネルディスプレイによって提示部１３と操作部１５とが兼用されているが、提示部と操作部とが別々に設けられていてもよい。
【００６１】
実施形態では、中間データＤ２にレーダーチャートが含まれているが、レーダーチャートに限らず、グラフ又は表が含まれていてもよい。つまり、中間データＤ２は、結果データＤ１に基づいて作成されるデータであれば他の形態でもよい。
【００６２】
実施形態では、提示部１３は、映像（画像）により中間データＤ２及び活動データＤ３を提示しているが、例えば、音声により中間データＤ２及び活動データＤ３を提示してもよい。さらに、提示部１３は、映像と音声とを組み合わせることにより中間データＤ２及び活動データＤ３を提示してもよい。
【００６３】
実施形態では、提示部１３は、同一の対象者について時系列で変化する複数の中間データＤ２を同時に提示しているが、例えば、複数の対象者の中間データＤ２を同時に提示してもよい。これにより、他の対象者との間で比較を行うことができる。
【００６４】
実施形態で説明したランク付けは一例であり、例えば、四分位法に基づいてランク付けを行ってもよい。例えば、上位２５％を「Ａランク」、中間値（中央値）以上を「Ｂランク」、中間値〜第３四分位数を「Ｃランク」、第３四分位数〜第４四分位数（第３四分位数よりも小さい値）を「Ｄランク」、第４四分位数以下を「Ｅランク」とする。また、中間値の半数を「Ｃランク」とし、第１四分位数以上を「Ａランク」、第４四分位数以下を「Ｅランク」としてもよい。
【００６５】
実施形態では、対象者と同年代の指標に基づいてランク付けを行ったが（図３参照）、例えば図６に示すように、項目ごとに体力年齢を表示するように構成されていてもよい。この場合において、図３に示すように、項目ごとにＡ〜Ｅランクで表示するのではなく、例えば「握力」の項目であれば実際の値（例えば「〇ｋｇ」等）を表示することが好ましい。この構成によれば、項目ごとの体力年齢を提示することができ、提示内容を見た対象者は、自身の体力年齢を項目ごとに知ることができる。
【００６６】
（まとめ）
以上説明したように、第１の態様に係る活動支援方法は、取得処理と、提示処理と、を含む。取得処理では、対象者に所定の運動メニューを実施させた場合の対象者の運動結果である結果データ（Ｄ１）を取得する。提示処理では、取得処理で取得した結果データ（Ｄ１）に基づいて、対象者に促す活動を規定する活動データ（Ｄ３）を提示する。
【００６７】
この態様によれば、対象者の運動結果である結果データ（Ｄ１）に基づいて対象者に提示する活動データ（Ｄ３）を作成しており、結果データ（Ｄ１）以外の入力データを必要とする場合と比較して使い勝手を向上させることができる。
【００６８】
第２の態様に係る活動支援方法では、第１の態様において、提示処理において、結果データ（Ｄ１）に対する評価結果を含む中間データ（Ｄ２）を更に提示する。
【００６９】
この態様によれば、活動データ（Ｄ３）を導く過程において作成される中間データ（Ｄ２）についても提示することができる。
【００７０】
第３の態様に係る活動支援方法は、第２の態様において、中間データ（Ｄ２）に基づいて活動データ（Ｄ３）を決定する決定処理を更に含む。
【００７１】
この態様によれば、中間データ（Ｄ２）に基づいて活動データ（Ｄ３）を決定することができる。
【００７２】
第４の態様に係る活動支援方法では、第１〜３のいずれかの態様において、所定の運動メニューは、複数の項目を含む。
【００７３】
この態様によれば、複数の項目からなる運動メニューに基づいて活動データ（Ｄ３）を導くので、より効果的な活動データ（Ｄ３）を提示することができる。
【００７４】
第５の態様に係る活動支援方法では、第４の態様において、複数の項目の各々は、その機能に応じて複数のグループのいずれかに分類される。
【００７５】
この態様によれば、機能に応じた活動データ（Ｄ３）を提示することができる。
【００７６】
第６の態様に係る活動支援方法では、第４又は５の態様において、提示処理において、複数の項目のうち優先順位が最も高い項目に関連付けられた活動データ（Ｄ３）を提示する。
【００７７】
この態様によれば、活動データ（Ｄ３）を導くための処理が簡単になるという利点がある。
【００７８】
第７の態様に係る活動支援方法は、第６の態様において、複数の項目の各々について結果データ（Ｄ１）を評価する評価処理を更に含む。複数の項目のうち評価処理での評価が最も低い項目の優先順位が最も高い。
【００７９】
この態様によれば、複数の項目のうち評価が最も低い項目についての活動データ（Ｄ３）を提示することができる。
【００８０】
第８の態様に係る活動支援方法では、第７の態様において、複数の項目の各々は、その機能に応じて複数のグループのいずれかに分類される。複数のグループのうちいずれか１つのグループに低評価項目が複数含まれる場合、提示処理において、複数の低評価項目のうち優先順位が最も高い項目に関連付けられた活動データ（Ｄ３）を提示する。低評価項目は、評価が最も低い項目である。
【００８１】
この態様によれば、低評価項目が複数ある場合であっても、その中で優先順位が最も高い項目について活動データ（Ｄ３）を提示することができる。
【００８２】
第９の態様に係る活動支援方法では、第６〜８のいずれかの態様において、提示処理において、複数の項目のうち優先順位が最も高い項目についての評価結果である第１評価結果と第１評価結果以外の第２評価結果との表示態様を異ならせる。
【００８３】
この態様によれば、第１評価結果と第２評価結果とを区別しやすいという利点がある。
【００８４】
第１０の態様に係る活動支援方法は、第１〜９のいずれかの態様において、結果データ（Ｄ１）に対する評価結果を含む中間データ（Ｄ２）を記憶する記憶処理を更に含む。提示処理において、記憶処理で記憶させた複数の中間データ（Ｄ２）を同時に提示する。
【００８５】
この態様によれば、複数の中間データ（Ｄ２）を同時に提示することで、変化の度合いを対象者に提示することができる。
【００８６】
第１１の態様に係るプログラムは、コンピュータシステムに、第１〜１０のいずれかの態様に係る活動支援方法を実行させるためのプログラムである。
【００８７】
この態様によれば、対象者の運動結果である結果データ（Ｄ１）に基づいて対象者に提示する活動データ（Ｄ３）を作成しており、結果データ（Ｄ１）以外の入力データを必要とする場合と比較して使い勝手を向上させることができる。
【００８８】
第１２の態様に係る活動支援システム（１）は、取得部（１２）と、提示部（１３）と、を備える。取得部（１２）は、対象者に所定の運動メニューを実施させた場合の対象者の運動結果である結果データを取得する。提示部（１３）は、取得部（１２）が取得した結果データに基づいて対象者に促す活動を規定する活動データ（Ｄ３）を提示する。
【００８９】
この態様によれば、対象者の運動結果である結果データ（Ｄ１）に基づいて対象者に提示する活動データ（Ｄ３）を作成しており、結果データ（Ｄ１）以外の入力データを必要とする場合と比較して使い勝手を向上させることができる。
【００９０】
第２〜１０の態様に係る構成については、活動支援方法に必須の構成ではなく、適宜省略可能である。
【符号の説明】
【００９１】
１  活動支援システム
１２  取得部
１３  提示部
Ｄ１  結果データ
Ｄ２  中間データ
Ｄ３  活動データ
【図１】
2019146341.tif 000003
【図２】
2019146341.tif 000004
【図３】
2019146341.tif 000005
【図４】
2019146341.tif 000006
【図５】
2019146341.tif 000007
【図６】
2019146341.tif 000008
【国際調査報告】
2019146341.tif 000009
2019146341.tif 000010
2019146341.tif 000011
2019146341.tif 000012